(57)【要約】【課題】  特別な技術を要することなく、容易に複数ののし瓦を同一の高さレベルで固定することを可能とするのし瓦固定方法及びのし瓦固定具を提供することである。【解決手段】  本発明は、のし瓦を壁面に固定するのし瓦固定具であって、壁面に取り付けられる取付基部と、前記取付基部より、壁面から離れる方向に向かって延びているアーム基部と、前記アーム基部より延びており、前記のし瓦に設けられた孔を貫通し、前記のし瓦を係止するアームと、を備えることを特徴とする。【選択図】  図８
2019094662.tif 000002
【特許請求の範囲】
【請求項１】
のし瓦を壁面に固定するのし瓦固定具であって、
壁面に取り付けられる取付基部と、
前記取付基部より、壁面から離れる方向に向かって延びているアーム基部と、
前記アーム基部より延びており、前記のし瓦に設けられた孔を貫通し、前記のし瓦を係止するアームと、を備えることを特徴とするのし瓦固定具。
【請求項２】
前記アームは、前記のし瓦に設けられた孔を下方から貫通し、前記のし瓦を係止することを特徴とする請求項１に記載ののし瓦固定具。
【請求項３】
前記アームは、折り曲げ位置を示すガイド部をさらに備えることを特徴とする、請求項１または２に記載ののし瓦固定具。
【請求項４】
前記ガイド部は、前記アーム内のガイド部以外の部分に比して、強度を低下させていることを特徴とする、請求項３に記載ののし瓦固定具。
【請求項５】
前記ガイド部は、切り欠き形状であることを特徴とする、請求項３または４に記載ののし瓦固定具。
【請求項６】
壁面に取り付けられる取付基部と、前記取付基部より壁面から離れる方向に向かって延びているアーム基部と、前記アーム基部より延びているアームと、を備えるのし瓦固定具を用いてのし瓦を壁面に固定するのし瓦固定方法であって、
壁面と屋根の境界部分に設けられた基礎部に、前記のし瓦固定具を固設するステップと、
前記のし瓦に設けられた孔に、前記のし瓦固定具のアームを貫通させるステップと、
前記貫通されたアームを折り曲げることにより、前記のし瓦を固定するステップと、を含むことを特徴とするのし瓦固定方法。
【発明の詳細な説明】
【技術分野】
【０００１】
本発明は、のし瓦固定具に関し、より特定的には、壁際に葺かれるのし瓦を固定するためののし瓦固定具に関する。
【背景技術】
【０００２】
日本家屋においては、一般的に、壁際水切部にのし瓦が使用されている。のし瓦の施工は従来、桟瓦と壁との境界に面土を敷き詰め、当該面戸の上に高さレベルを調整しながらのし瓦を並べ、最後にのし瓦を銅線などで固定する方法が一般的であった。しかし、これらの作業には多くの作業時間と高度な技術が必要であった。
【０００３】
そこで、上記問題を解消するため、のし瓦を固定するための専用の金具を準備し、当該金具にのし瓦を抱持させ、のし瓦を壁に固定することによって、簡易にのし瓦を固定しようとする方法が存在した（例えば、特許文献１参照）。
【０００４】
図１８は、従来技術におけるのし瓦固定具Ａを示す概略図である。図１８において、のし瓦固定具Ａは、取付基部１、アーム２、第１の抱持部３、第２の抱持部４を備える。
【０００５】
取付基部１は壁に１点において固定され、当該取付基部１から２方向に延びているアーム２の先端部分に存在する第１の抱持部３によって上段のし瓦が２点で抱持されており、当該第１の抱持部３からさらに延びている第２の抱持部４によって下段のし瓦が２点で抱持されている。
【先行技術文献】
【特許文献】
【０００６】
【特許文献１】実公昭５９−２４７３０号公報
【発明の概要】
【発明が解決しようとする課題】
【０００７】
しかしながら、特許文献１に記載ののし瓦固定具Ａでは、表面から各抱持部が露見している構造であるため、意匠性が損なわれるという欠点がある。また、のし瓦先端部と抱持部との摩擦力によって滑落を防止しているにすぎないものであるため、地震などの横揺れに対応できず、のし瓦がずれてしまう恐れがある。さらに、のし瓦は、焼きムラによって幅、長さ、歪みが発生しやすいところ、このように瓦を複数点で抱持する固定具では形状に差異がある複数ののし瓦を整列させて固定することが困難である。
【０００８】
さらに、のし瓦を複数並べて配置する場合、それぞれののし瓦が同一の高さレベルに配置されるように、高さを調整して並べていく必要があるが、複数ののし瓦をのし瓦固定具Ａによって固定する場合、取付基部１を設置する高さを揃える必要があった。そのため、瓦を抱持することは可能であっても、結局その設置及び高さレベル調整には高い技術が要求される等の問題が存在した。
【０００９】
それ故に、本発明は、上記のような課題に鑑みてなされたものであって、本発明の目的の１つは、特別な技術を要することなく、容易に複数ののし瓦を同一の高さレベルで固定することを可能とするのし瓦固定方法及びのし瓦固定具を提供することである。
【課題を解決するための手段】
【００１０】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１１】
本発明の一局面に係るのし瓦固定具は、のし瓦を壁面に固定するのし瓦固定具であって、壁面に取り付けられる取付基部と、前記取付基部より、壁面から離れる方向に向かって延びているアーム基部と、前記アーム基部より延びており、前記のし瓦に設けられた孔を貫通し、前記のし瓦を係止するアームと、を備えることを特徴とする。
かかる構成により、本発明の一局面に係るのし瓦固定具は、あらかじめ高さレベルを調整された連続する複数のアームによって、容易に複数ののし瓦を同一の高さレベルで固定することができる。
【００１２】
また、好ましくは、前記アームは、前記のし瓦に設けられた孔を下方から貫通し、前記のし瓦を係止することを特徴とする。
かかる構成により、本発明の一局面に係るのし瓦固定具は、のし瓦の意匠性を損なうことなく、安定してのし瓦を固定することが可能となり、かつ、容易に複数ののし瓦を同一の高さレベルで固定することが可能となる。
【００１３】
また、好ましくは、前記アームは、折り曲げ位置を示すガイド部をさらに備えることを特徴とする。
かかる構成により、本発明の一局面に係るのし瓦固定具は、折り曲げ位置を容易に把握可能となり、のし瓦の固定工程が容易となる。
【００１４】
また、好ましくは、前記ガイド部は、前記アーム内のガイド部以外の部分に比して、強度を低下させていることを特徴とする。
かかる構成により、本発明の一局面に係るのし瓦固定具は、より容易にガイド部を折り曲げることが可能となり、さらにのし瓦の固定工程が容易となる。
【００１５】
また、好ましくは、前記ガイド部は、切り欠き形状であることを特徴とする。
かかる構成により、本発明の一局面に係るのし瓦固定具は、折り曲げ位置を容易に把握可能となり、かつ、より容易にガイド部を折り曲げることが可能となるため、さらにのし瓦の固定工程が容易となる。
【００１６】
また、本発明の一局面に係るのし瓦固定方法は、壁面に取り付けられる取付基部と、前記取付基部より、壁面から離れる方向に向かって延びているアーム基部と、前記アーム基部より延びているアームと、を備えるのし瓦固定具を用いてのし瓦を壁面に固定するのし瓦固定方法であって、壁面と屋根の境界部分に設けられた基礎部に、前記のし瓦固定具を固設するステップと、前記のし瓦に設けられた孔に、前記のし瓦固定具のアームを貫通させるステップと、前記貫通されたアームを折り曲げることにより、前記のし瓦を固定するステップと、を含むことを特徴とする。
かかる構成により、本発明の一局面に係るのし瓦固定具は、あらかじめ高さレベル調整された連続する複数のアームによって、容易に複数ののし瓦を同一の高さレベルで固定することができる。
【発明の効果】
【００１７】
以上のように、本発明によれば、特別な技術を要することなく、容易に複数ののし瓦を同一の高さレベルで固定可能なのし瓦固定方法及びのし瓦係止具を提供することが可能となる。
【図面の簡単な説明】
【００１８】
【図１】本発明のし瓦固定方法１００を示すフローチャートである。
【図２】本発明のし瓦固定方法１００のステップＳ１０１を示す概略図である。
【図３】本発明に係るのし瓦固定具２００を示す斜視図である。
【図４】本発明のし瓦固定方法１００のステップＳ１０２を示す概略図である。
【図５】本発明のし瓦固定方法１００のステップＳ１０３を示す概略図である。
【図６】本発明のし瓦固定方法１００のステップＳ１０４を示す概略図である。
【図７】本発明に係るのし瓦固定具２００の詳細を示す拡大斜視図である。
【図８】本発明のし瓦固定具２００を用いてのし瓦１０が固定された様子を示す断面図である。
【図９】本発明のし瓦固定方法１００のステップＳ１０５を示す概略図である。
【図１０】本発明のし瓦固定方法１００を実行し、本発明のし瓦固定具２００を用いてのし瓦１０を固定した状態を示す斜視図である。
【図１１】本発明のし瓦固定方法１００を実行し、本発明のし瓦固定具２００を用いてのし瓦１０を固定した状態を示す断面図である。
【図１２】本発明のし瓦固定方法１００のステップＳ１０２（流れ壁側）を示す概略図である。
【図１３】本発明に係るのし瓦固定具３００を示す斜視図である。
【図１４】本発明に係るのし瓦固定具３００の詳細を示す拡大斜視図である。
【図１５】本発明のし瓦固定具３００を用いてのし瓦１０を固定する様子を示す断面図である。
【図１６】本発明のし瓦固定方法１００を実行し、本発明のし瓦固定具２００を用いてのし瓦１０を固定した状態を示す斜視図である。
【図１７】本発明のし瓦固定方法１００を実行し、本発明のし瓦固定具３００を用いて流れ壁にのし瓦１０を固定した状態を示す断面図である。
【図１８】従来技術におけるのし瓦固定具Ａを示す概略図である。
【発明を実施するための形態】
【００１９】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２０】
図１は、本発明のし瓦固定方法１００を示すフローチャートである。のし瓦固定方法１００は、ステップＳ１０１〜Ｓ１０５を含む。ステップＳ１０１は基礎部を固設する工程であり、ステップＳ１０２はのし瓦固定具を配置する工程であり、ステップＳ１０３はのし瓦を配置する工程であり、ステップＳ１０４はのし瓦固定具にのし瓦を固定する工程であり、ステップＳ１０５は仕上げ工程である。
以下、各ステップについて具体的に説明する。
【００２１】
図２は、ステップＳ１０１を示す屋根の斜視図である。
ステップＳ１０１は、屋根と壁面の境界において、基礎部を固設する工程である。ステップＳ１０１ではまず、屋根と壁面の境界に防水シート３０をかけ、当該防水シート３０の上に下地となる横木４０を固定する。その後、当該防水シート３０及び横木４０の上にのし受け板金５０をビス止めして基礎部の完成となる。なお、防水シート３０と横木４０はいずれが先に設置されてもよく、先に横木４０を設置して、その後に防水シート３０をかけるという手順であっても構わない。
【００２２】
続いて、ステップＳ１０１で固設した基礎部の上にのし瓦固定具を配置するステップＳ１０２、当該のし瓦固定具にのし瓦を配置するステップＳ１０３、当該のし瓦固定具にのし瓦を固定するステップＳ１０４を説明する。
【００２３】
＜平行壁側の場合＞
図３は、ステップＳ１０２において基礎部に配置される、本発明のし瓦固定具２００を示す斜視図である。のし瓦固定具２００は、平行壁（屋根の流れ方向に直交するように立つ壁）に配置されるのし瓦を固定するために用いられる。
【００２４】
図４は、本発明のし瓦固定方法１００のステップＳ１０２を示す概略図である。図４において、ステップＳ１０２では、ステップＳ１０１で固設した基礎部の上に当該のし瓦固定具２００を設置している。
【００２５】
図５は、本発明のし瓦固定方法１００のステップＳ１０３を示す概略図である。図５において、ステップＳ１０３では、ステップＳ１０２で設置されたのし瓦固定具２００の上にのし瓦１０を配置している。より詳細には、のし瓦固定具２００のアーム２２３をのし瓦１０に設けられた孔に貫通させている。
【００２６】
図６は、本発明のし瓦固定方法１００のステップＳ１０４を示す概略図である。図６において、ステップＳ１０４では、ステップＳ１０３でのし瓦１０に設けられた孔に貫通させたのし瓦固定具２００のアーム２２３を折り曲げることによって、のし瓦１０をのし瓦固定具２００に固定している。より詳細には、のし瓦１０の孔からはみ出ているアーム２２３の先端部をハンマー等で折り曲げることにより、のし瓦１０をのし瓦固定具２００に固定する。
【００２７】
ここで、本発明のし瓦固定具２００の詳細及び当該のし瓦固定具２００にのし瓦１０を固定する様子についてより詳細に説明する。
図７は、本発明のし瓦固定具２００の詳細を示す拡大斜視図であり、図８はのし瓦固定具２００を用いてのし瓦１０が固定された様子を示す断面図である。
図７において、本発明のし瓦固定具２００は、壁面に取り付けられる取付基部２１０と、取付基部２１０から延びているアーム部２２０と、ビス止め用孔２３０とを備える。アーム部２２０は、第１のアーム基部２２１と、第２のアーム基部２２２と、アーム２２３と、アーム２２３の折り曲げ位置を示す第１のガイド部２２４と第２のガイド部２２５とを備える。
【００２８】
ステップＳ１０３において、アーム２２３がのし瓦１０に設けられた孔を貫通するようにのし瓦１０を配置した後、ステップＳ１０４において、のし瓦１０の孔からはみ出ているアーム２２３の先端部をハンマー等で折り曲げる。この際、アーム２２３の折り曲げ位置はアーム２２３に設けられた第１のガイド部２２４または第２のガイド部２２５を目安にする。
【００２９】
第１のアーム基部２２１は、ステップＳ１０１で固設した基礎部と固定されることにより、のし瓦固定具２００の土台としての役割を果たす。
第２のアーム基部２２２は、第１のアーム基部２２１から立ち上がる形で設けられている。この部分は、のし瓦１０の裏面と接してのし瓦１０に傾きを付ける役割を果たすために設けられている。
平行壁からは、桟瓦２０が屋根の流れ方向に沿って斜め下方に配置されていくため、のし瓦１０もこの傾きに対応して斜め下方に傾いた状態で配置される必要がある。そのため、第２のアーム基部２２２は、桟瓦２０の傾きに合わせてのし瓦１０を斜めに配置するために、第１のアーム基部２２１から立ち上がる形状を有している。
【００３０】
また、のし瓦１０を斜めに配置するために、第１のアーム基部２２１とアーム２２３とによって形成される角度は、鈍角（角度ａ１）となるように構成されている。角度ａ１は、屋根の傾斜角度に対応して変化するものであるが、一般的には、おおよそ１２０度程度であることが好ましい。
【００３１】
のし瓦固定具２００において、第１のガイド部２２４及び第２のガイド部２２５は切り欠き形状を有しており、これらはアーム２２３の折り曲げ位置を示している。
固定するのし瓦１０が１枚の場合は、第１のガイド部２２４からアーム２２３を折り曲げればよく、固定するのし瓦１０が２枚の場合は、第２のガイド部２２５からアーム２２３を折り曲げればよい。
それぞれのガイド部から折り曲げた際に、のし瓦１０が緩みなく安定して固定されるように、第２のアーム基部２２２の上端から第１のガイド部２２４までの長さは、おおよそのし瓦１枚分の厚みに対応した長さであることが好ましく、第２のアーム基部２２２の上端から第２のガイド部２２５までの長さは、おおよそのし瓦２枚分の厚みに対応した長さであることが好ましい。
【００３２】
なお、各ガイド部は配置する瓦の枚数に対応して設けられるものであるため、のし瓦１０を配置する枚数が確定している場合は当該枚数に対応した位置に１つしか設けられていなくてもよく、逆に、のし瓦１０を配置する枚数をケースに応じて変化させたい場合は、複数箇所（例えば、３つ以上）設けられていてもよい。また、各ガイド部は、本実施例のように切り欠き形状である必要はなく、罫線を引く等により単に折り曲げ位置を示す形であってもよい。
【００３３】
また、本実施例のように切り欠き形状を有するガイド部を設けた場合、当該ガイド部に係る箇所のアームの強度を低下させることができるため、折り曲げが容易となるという効果を生じさせることができるが、この効果は、本実施例のようにアームの外側を切り欠くことではなく例えば、アームの内側を一部打ち抜いておくことによっても達成可能であるし、ガイド部を薄く（細く）しておくこと等によっても達成可能である。
【００３４】
本実施例において、１枚ののし瓦１０は、２本のアーム２２３によって固定されており、のし瓦固定具２００は当該２本のアーム２２３を複数セットで備える構成を有している。もっとも、１枚のし瓦につき２本のアームという構成に必ずしも限定されるものではなく、アームの形状や安定性を考慮した上で、１本のアームで１枚ののし瓦を固定するものであっても構わないし、逆に、３本以上で１枚ののし瓦１０を固定する構成であっても構わない。
また、隙間調整用として、のし瓦１０の半枚分程度の大きさの、小さいのし瓦を配置する場合には、当該小さいのし瓦用の固定具を用いることになる。そのような固定具の場合にも、アームが１本の場合があり得る。
【００３５】
ビス止め用孔２３０は、取付基部２１０及び第１のアーム基部２２１に設けられており、それぞれ長手方向に一定間隔で連続して設けられている。
取付基部２１０及び第１のアーム基部２２１の両方においてビス止めすることで、より安定的にのし瓦固定具２００を壁際に固定することができるが、当該ビス止め用穴は必ずしも両方に設けられている必要はなく、取付基部２１０のみに設けられていても構わない。
【００３６】
なお、のし瓦固定具２００の素材には、加工しやすい金属を用いることを想定しているが、のし瓦１０を長期間係止できる程度の強度を有し、かつ、曲げ加工等が容易な素材であれば、金属でなくとも構わない。
【００３７】
以上に説明したのし瓦固定具２００を用いて、ステップＳ１０４までにのし瓦１０を固定した後、ステップＳ１０５において仕上げ工程を行う。
図９は、本発明のし瓦固定方法１００のステップＳ１０５を示す概略図である。
ステップＳ１０５では、のし瓦１０の上に雨切板金６０を被せてそれを壁にビス留めする。この際、雨水の侵入しやすい箇所等にエプトシーラー７０を差し込んでいてもよい。
【００３８】
図１０は、本発明のし瓦固定方法１００を実行し、本発明のし瓦固定具２００を用いてのし瓦１０を固定した状態を示す斜視図であり、図１１は、同じく本発明のし瓦固定方法１００を実行し、本発明のし瓦固定具２００を用いてのし瓦１０を固定した状態を示す断面図である。
【００３９】
以上のように、本発明のし瓦固定方法１００によれば、容易に複数ののし瓦を同一の高さレベルで固定するのし瓦固定方法を提供することが可能となる。
【００４０】
＜流れ壁側の場合＞  
図３〜図１１では、のし瓦固定方法１００に関して、のし瓦固定具２００を用いて、平行壁側の場合について主に説明したが、本発明のし瓦固定方法１００は、平行壁側のみならず流れ壁（屋根の流れ方向に沿って立つ壁）側ののし瓦１０を固定する場合にも採用可能である。
【００４１】
図１２は、本発明のし瓦固定方法１００のステップＳ１０２（流れ壁側）を示す概略図である。図１２に示すように、のし瓦固定方法１００を流れ壁側に採用する場合は、のし瓦１０の固定にのし瓦固定具３００を用いる。ここでは一例としてステップＳ１０２を示しているが、ステップＳ１０３以降についても、のし瓦固定具２００の代わりにのし瓦固定具３００を用いる点以外は既に述べた工程と同様である。
【００４２】
以下では、のし瓦固定具３００について、主にのし瓦固定具２００と異なる構成について詳細に説明する。
図１３は、本発明のし瓦固定具３００を示す斜視図であり、図１４は、本発明のし瓦固定具３００の詳細を示す拡大斜視図である。また、図１５は、のし瓦固定具３００を用いてのし瓦を固定する様子を示す断面図である。
【００４３】
流れ壁側の場合、平行壁に接する場合と異なり、流れ壁に接する部分と桟瓦２０とは、略直角に接することになるため、桟瓦２０の傾きに合わせてのし瓦１０を斜めに配置する必要がなくなる。したがって、のし瓦固定具２００において鈍角として構成されていた角度（角度ａ１）は、のし瓦固定具３００において略直角（角度ａ２）となるように構成されている。また、同様の理由から、のし瓦固定具２００に存在した第２のアーム基部２２２に相当する部分は存在しない。
【００４４】
のし瓦固定具３００においては、第２のアーム基部２２２に相当する部分が存在しないため、のし瓦固定具３００における第１のガイド部２２４及び第２のガイド部２２５の位置は、それぞれ第１のアーム基部２２１からおおよそ瓦１枚分、おおよそ瓦２枚分の厚みに対応した位置に設けられる。
【００４５】
さらに、のし瓦固定具３００は、その取付基部の端部３１０が直角ではなく角を斜めに落とした形状を有している点においても、のし瓦固定具２００と異なる。
これは、のし瓦固定具３００自体が、屋根の傾斜に沿って斜めに配置されることによる。
すなわち、流れ壁は屋根の傾斜に沿って立つ壁であるから、のし瓦固定具３００自体も当該屋根の傾斜に沿って傾いた状態で配置されることになる。このような場合に、のし瓦固定具２００に見られるような直角形状の取付基部端部を設けてしまうと、流れ壁と並行壁が交錯する角の部分において、端部がはみ出てしまう場合がある。取付基部端部３１０は、そのようなはみ出しを防ぐために角を落としているのである。
【００４６】
図１６は、本発明のし瓦固定方法１００を実行し、本発明のし瓦固定具３００を用いて流れ壁にのし瓦１０を固定した状態を示す斜視図であり、図１７は、本発明のし瓦固定方法１００を実行し、本発明のし瓦固定具３００を用いて流れ壁にのし瓦１０を固定した状態を示す断面図である。
流れ壁側からは雨水が侵入しやすいため、エプトシーラー７０は特に流れ壁側に固設したのし瓦１０の下に差し込んでおくことが好ましい。
【００４７】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００４８】
本発明は、屋根に葺かれるのし瓦の固定等に利用可能であって、特に、壁際ののし瓦の固定に有用である。
【符号の説明】
【００４９】
１００              のし瓦固定方法
Ｓ１０１〜Ｓ１０５  各ステップ
２００、３００      のし瓦固定具  
２１０              取付基部
２２０              アーム部
２２１              第１のアーム基部
２２２              第２のアーム基部
２２３              アーム
２２４              第１のガイド部
２２５              第２のガイド部
２２７              ビス止め用孔
３１０              流れ壁用のし瓦固定具取付基部端部
１０                のし瓦
２０                桟瓦
３０                防水シート
４０                横木
５０                のし受け板金
６０                雨切板金
７０                エプトシーラー
ａ１、ａ２          角度
Ａ                  のし瓦固定具
１                  取付基部
２                  第１の抱持部
３                  第２の抱持部
４                  アーム
【図１】
2019094662.tif 000003
【図２】
2019094662.tif 000004
【図３】
2019094662.tif 000005
【図４】
2019094662.tif 000006
【図５】
2019094662.tif 000007
【図６】
2019094662.tif 000008
【図７】
2019094662.tif 000009
【図８】
2019094662.tif 000010
【図９】
2019094662.tif 000011
【図１０】
2019094662.tif 000012
【図１１】
2019094662.tif 000013
【図１２】
2019094662.tif 000014
【図１３】
2019094662.tif 000015
【図１４】
2019094662.tif 000016
【図１５】
2019094662.tif 000017
【図１６】
2019094662.tif 000018
【図１７】
2019094662.tif 000019
【図１８】
2019094662.tif 000020